(57)【要約】【課題】購入した衣類を購入者が任意なデザイン形状に自由にカットして着用でき、高度な裁断技術や縫製加工技術が不要な衣類を提供すること。【解決手段】衣類をほつれ止め効果のある溶融弾性糸が編み込まれた編地で構成し、該衣類の首、脇、裾などの開口部のサイズを標準品よりも小さ目とし、該衣類の身丈、袖丈を標準品よりも大き目とし、該衣類の身幅、袖口、腰、裾口を標準品と同じとし、任意なデザイン形状にカットして切りっぱなしのままで使用可能とした。【選択図】図１
2005133264.tif 000002
【特許請求の範囲】
【請求項１】
消費者が任意なデザイン形状にカットして使用可能とした衣類において、該衣類をほつれ止め効果のある溶融弾性糸が編み込まれた編地で構成し、該衣類の首、脇、裾などの開口部のサイズを標準品よりも小さ目とし、該衣類の身丈、袖丈を標準品よりも大き目とし、該衣類の身幅、袖口、腰、裾口を標準品と同じとした原型よりなることを特徴とする自由にカットできる衣類。
【請求項２】
標準的なカットラインを衣類の裏側もしくは表側に印刷等で表示したことを特徴とする請求項１に記載の自由にカットできる衣類。
【請求項３】
包装紙または台紙にカット可能なデザインモデルを印刷等で表示し、衣類とセットとして包装したことを特徴とする請求項１又は２に記載の自由にカットできる衣類。
【請求項４】
衣類の原型は長袖シャツタイプ、ノースリーブシャツタイプ、長丈パンティタイプ、ハーフ丈パンティタイプより選ばれたものであることを特徴とする請求項１〜３の何れかに記載の自由にカットできる衣類。
【請求項５】
ほつれ止め効果のある編地は、熱溶着性ポリウレタン弾性糸とそれ以外の紡績糸またはフィラメント糸をプレーティング編により編みたてた丸編み地であることを特徴とする請求項１〜４のいずれかに記載の自由にカットできる衣類。
【請求項６】
包装紙または台紙に表示されたカット可能なデザインモデルは、長袖シャツタイプから半袖シャツタイプさらにノースリーブシャツタイプ等へ、また、長丈パンティタイプからショートパンティタイプさらにショーツタイプ等へと変遷することを表現したものであることを特徴とする請求項１〜５のいずれかに記載の自由にカットできる衣類。
【請求項７】
衣類の構成部品の各継ぎ合わせ部を横断してカットされる部位は熱溶着手段による継ぎ目としてあることを特徴とする請求項１〜６のいずれかに記載の自由にカットできる衣類。
【発明の詳細な説明】
【技術分野】
【０００１】
本発明は、購入した衣類を購入者が任意なデザイン形状に自由にカットして着用できるように構成された自由にカットできる衣類に関するものである。
【背景技術】
【０００２】
従来、一般に市販されている衣類は、予め決められた設計デザイン、形状、サイズに応じて生地の裁断、縫製、仕上げ加工等の製造工程を経て商品化され、販売されている。消費者は、販売されている商品（衣類）の中から好みのデザイン形状と自己のサイズに適合する商品を選択して購入し、そのまま着用されている。
また、従来、ウエディングドレス、カクテルドレス、イブニングドレス等のフォーマルドレスについて、各パーツに裁断したまま（未縫製）のパーツ布地を衣服１着分をセットとして販売し、購入者が各パーツ布地を予め決められた何通りかの組み合わせデザインの中から所望のデザインを選択して縫製仕立てできるようにしたものが提案されている（特許文献１参照）。
【特許文献１】特開平８−２０９４２４号公報
【発明の開示】
【発明が解決しようとする課題】
【０００３】
最近では、ファッションの多様化、個性化が進み、購入した衣類を購入者が任意なデザイン形状に自由にカットして自己の好みに合わせて変更して着用できるようなバリアブルな衣類が要望されつつある。
しかしながら、前記特許文献１の衣類は、購入者が商品購入後、何通りかの組み合わせデザインの中から所望のデザインを選択することができるだけであって、任意なデザインに自由にカットして変更することができるものではない。また、特許文献１の衣類は、商品購入後、各パーツ布地を購入者が縫製仕上げしなければならないもので、この縫製仕上げには高度な縫製加工技術が必要となるという問題点もある。一方、既製品を購入したそのままの状態で着用する従来の衣類は、自由にカットできる仕様とはなっておらず、好みのデザインに自由に変更できないため、前記要望を満たすことができなかった。
【０００４】
本発明は、購入した衣類を購入者が任意なデザイン形状に自由にカットして着用でき、高度な裁断技術や縫製加工技術が不要な衣類を提供することを課題としている。
【課題を解決するための手段】
【０００５】
前記課題を解決するために本発明は、消費者が任意なデザイン形状にカットして使用可能とした衣類において、該衣類をほつれ止め効果のある溶融弾性糸が編み込まれた編地で構成し、該衣類の首、脇、裾などの開口部のサイズを標準品よりも小さ目とし、該衣類の身丈、袖丈を標準品よりも大き目とし、該衣類の身幅、袖口、腰、裾口を標準品と同じとした原型よりなることを特徴としている。上記標準品とは、衣類の種類毎の大きさや形状を表す型番（例えば、Ｓ，Ｍ，Ｌ等）やサイズ番号（例えば、１３号、１５号等）毎に各部が標準体型に適合する寸法に製作された衣類を意味する。
【０００６】
前記衣類には、標準的なカットラインを衣類の裏側もしくは表側に印刷等で表示しておいたり、これと共に、或いは、これに代えて、包装紙または台紙にカット可能なデザインモデルを印刷等で表示し、衣類とセットとして包装してもよい。上記標準的なカットラインとは、カット位置、カット形状についての例示を意味する。
前記衣類の原型は長袖シャツタイプ、ノースリーブシャツタイプ、長丈パンティタイプ、ハーフ丈パンティタイプより選ばれたものとする。
前記ほつれ止め効果のある編地は、熱溶着性ポリウレタン弾性糸とそれ以外の紡績糸またはフィラメント糸をプレーティング編により編みたてた丸編み地とする。
【０００７】
前記包装紙または台紙に表示されたカット可能なデザインモデルは、長袖シャツタイプから半袖シャツタイプさらにノースリーブシャツタイプ等へ、また、長丈パンティタイプからショートパンティタイプさらにショーツタイプ等へと変遷することを表現したものとする。
前記衣類の構成部品の各継ぎ合わせ部を横断してカットされる部位は熱溶着手段による継ぎ目とする。
【発明の効果】
【０００８】
本発明によれば、ほつれ止め効果のある溶融弾性糸が編み込まれた編地で衣類を構成しているため、どこをカットしてもほつれることがなく切りっぱなしのままで使用可能である。しかも、該衣類の首、脇、裾などの開口部のサイズを標準品よりも小さ目とし、該衣類の身丈、袖丈を標準品よりも大き目とし、該衣類の身幅、袖口、腰、裾口を標準品と同じとしてあるため、購入した衣類を購入者が任意なデザイン形状に自由にカットして着用できる。また、カットした部分は切りっぱなしのままで使用可能であるから、高度な裁断技術や縫製加工技術が不要であり、ファッションの多様化、個性化に対応可能な衣類を提供することができる。
【０００９】
また、標準的なカットラインを衣類の裏側または表側に印刷等で表示しておけば、初心者でもこれを目安として容易にカットすることができる。さらに、包装紙または台紙にカット可能なデザインモデルを印刷等で表示し、該包装紙または台紙を衣類とセットとして包装しておけば、これを参考として、種々の態様にカットすることができる。また、衣類の構成部品の各継ぎ合わせ部を横断してカットされる部位は熱溶着手段による継ぎ目としておくことによって、継ぎ合わせ部でカットした部位がほつれることを防止することができる。
【発明を実施するための最良の形態】
【００１０】
以下、本発明に係る衣類の実施形態を図面を参照して説明する。
図１において、（Ａ）は長袖シャツタイプ、（Ｂ）はノースリーブシャツタイプ、（Ｃ）は長丈パンティタイプ、（Ｄ）はハーフ丈パンティタイプの衣類の原型Ａ〜Ｄである。これらの衣類の原型Ａ〜Ｄを構成する生地は、ほつれ止め効果のある溶融弾性糸が編み込まれた編地とされる。このほつれ止め効果のある編地は、熱溶着性ポリウレタン弾性糸とそれ以外の紡績糸またはフィラメント糸をプレーティング編により編みたてた丸編み地とされる。
【００１１】
上記プレーティング編は、複数本の糸をそれぞれ別の給糸口から、編み針に給糸する方法で、編成ループそれぞれの糸の配置が安定的に定まる作用がある。従って、熱融着弾性糸とそれ以外の糸とを別の給糸口から編み針に給糸して編み立てられたプレーティング編地は、各編成ループにおける熱融着弾性糸とそれ以外の糸との配置が安定しているため、全てのループに熱融着弾性糸を隣接させることができ、これをヒートセット加工などにより熱融着弾性糸を溶融してほつれ止め機能を付与すれば、編地の全てのループのほつれ止めが完全に施され、どこでカットしてもほつれることがない利点がある。
【００１２】
上記編地で構成される衣類の原型は、次のように製作される。
先ず、長袖シャツタイプの衣類の原型Ａの場合は、前記丸編み地を使用して、図１の（Ａ）に示すように、標準品に対して、首回りａの開口部のサイズは小さ目とし、身丈ｂ、袖丈ｃは大き目とし、身幅ｄ、袖口ｆ’、裾口ｏは同じとして製作しておく。この場合、身幅ｄに対応する丸編み地で前後の身頃ｅを構成し、また、袖部ｆは丸編み地又は一枚生地から裁断した袖部品を熱溶着手段により溶着して筒状とした袖部ｆで構成し、前後の身頃ｅの肩部ｇの継ぎ合わせ部は熱溶着手段による継ぎ目とし、脇ぐり部ｈと袖部ｆの付け根部との継ぎ合わせ部は通常の縫製とする。熱溶着手段は、熱溶着テープを継ぎ合わせ部に介在させてアイロン等で加熱加圧して継ぎ合わせるものである。そして、標準的なカットラインｉ，ｊ，ｋを首回りａ、身丈ｂ、袖丈ｃに対して衣類の裏側又は表側に印刷等で表示する。標準的なカットラインｉ，ｊ，ｋは、首回りａ、身丈ｂ、袖丈ｃの各部について、１本乃至複数本を位置や形状等を異ならせて表示しておく。
【００１３】
次に、ノースリーブシャツタイプの衣類の原型Ｂの場合は、前記丸編み地を使用して、図１の（Ｂ）に示すように、標準品に対して、首回りａ、脇ぐり部ｈの開口部のサイズは小さ目とし、身丈ｂは大き目とし、身幅ｄ、裾口ｏは同じとして製作しておく。この場合、身幅ｄに対応する丸編み地で前後の身頃ｅを構成し、前後の身頃ｅの肩部ｇの継ぎ合わせ部は前記と同様な熱溶着手段による継ぎ目とする。そして、標準的なカットラインｉ，ｊ，ｋ’を首回りａ、脇ぐり部ｈ、身丈ｂに対して衣類の裏側又は表側に印刷等で表示しておく。標準的なカットラインｉ，ｊ，ｋ’は、首回りａ、脇ぐり部ｈ、身丈ｂの各部について、１本乃至複数本を位置や形状等を異ならせて表示しておく。
【００１４】
また、長丈パンティタイプの衣類の原型Ｃの場合は、前記丸編み地又は一枚の開き生地を左右別に、或いは、前後別に裁断しておき、それぞれ左右又は前後を継ぎ合わせて形成される。そして、図１の（Ｃ）に示すように、標準品に対して、身幅ｍ、腰回りｎ、裾口ｏ’の開口部のサイズは同じとし、身丈ｐ及び股上丈ｑは大き目として製作しておく。この場合、身幅ｍ及び腰回りｎに対応した丸編み地又は一枚の開き生地を使用して前後の身頃ｒを構成し、身丈ｐ及び股上丈ｑを標準品よりも大き目に裁断し、両サイドｓや股下部ｔ等の継ぎ合わせ部を前記と同様な熱溶着手段による継ぎ目とする。そして、標準的なカットラインｕ，ｖを腰回りｎ、脚部ｗに対して衣類の裏側又は表側に印刷等で表示しておく。標準的なカットラインｕ，ｖは、腰回りｎ、脚部ｗの各部について、１本乃至複数本を位置や形状等を異ならせて表示しておく。
【００１５】
また、ハーフ丈パンティタイプの衣類の原型Ｄの場合は、前記丸編み地又は一枚の開き生地を左右別に、或いは、前後別に裁断しておき、それぞれ左右又は前後を継ぎ合わせて形成される。そして、図１の（Ｄ）に示すように、標準品に対して、身幅ｍ、腰回りｎ、裾口ｏ”の開口部のサイズは同じとし、身丈ｐ’及び股上丈ｑ’は大き目として製作しておく。この場合も長丈パンティタイプと同様に、身幅ｍ及び腰回りｎに対応した丸編み地又は一枚の開き生地を使用して前後の身頃ｒ’を構成し、身丈ｐ’及び股上丈ｑを標準品よりも大き目に裁断し、両サイドｓや股下部ｔ等の継ぎ合わせ部を前記と同様な熱溶着手段による継ぎ目とする。そして、標準的なカットラインｕ’，ｖ’を腰回りｎ、脚部ｗ’に対して衣類の裏側又は表側に印刷等で表示しておく。標準的なカットラインｕ’，ｖ’は、腰回りｎ、脚部ｗ’の各部について、１本乃至複数本を位置や形状等を異ならせて表示しておく。
【００１６】
上記衣類の各原型に対するカットラインの表示方法は、転写方法や手捺染方法で行うものである。転写方法は、カットラインを予め転写紙に印刷しておき、この転写紙を生地面に重ね合わせて熱を加え、転写紙の上のカットラインを生地に転写する方法である。また、手捺染方法は、染料の入った糊（色糊）をスクリーン（ナイロン等で織った紗）上に乗せ、ヘラでこすりつけて色糊をスクリーン目を通して生地面にカットラインを染め付けていく方法である。この場合、スクリーンは、予めフィルム等で目を塞いでおき、印刷部分の目を開けて柄を構成してあるものを使用する。
【００１７】
また、本発明は、前記のように衣類の裏側又は表側に標準的なカットラインを前記の如く表示するとともに、各衣類の包装紙又は台紙にカット可能なデザインモデルを印刷等で表示しておくものである。
図２は長袖シャツタイプの衣類の包装紙又は台紙にカット可能なデザインモデルを印刷等で表示したものであって、原型ＡからＡ１，Ａ２，さらにＡ３，Ａ４，Ａ５，さらにＡ６，Ａ７，Ａ８の各変形態様へ変遷させ得ることを表現している。Ａ１は、原型Ａから袖丈、身丈を短くカットし、首回りをＶネック状にカットし、さらにＶネックの底を縦に短くカットして両側に折り返して襟を形成し、長袖シャツとした場合である。Ａ２は、原型Ａから丸首、半袖シャツとした場合である。Ａ３は、Ａ２から裾にＶカットを入れ、袖にＵカットを入れ、前身頃に丸カットを入れた場合である。Ａ４及びＡ５は、Ａ２から袖と裾を曲線状にカットした場合である。Ａ６は、Ａ５から首回りをＵネック状にカットし、袖をノースリーブにカットし、裾を直線状にカットした場合である。Ａ７は、Ａ６から首回りを変形Ｕネック状にカットし、身頃の一側に円弧状カットを入れ、裾を直線状に短くカットした場合である。また、Ａ８は、Ａ７から首回りをさらに深くカットし、身丈をバスト下部まで短くカットした場合である。
【００１８】
図３はノースリーブシャツタイプの衣類の包装紙又は台紙にカット可能なデザインモデルを印刷等で表示したものであって、原型ＢからＢ１，Ｂ２，Ｂ３の各変形態様へ変遷させ得ることを表現している。Ｂ１は、原型Ｂから首回りをＵネック状にカットし、裾を直線状に短くカットした場合である。Ｂ２は、Ｂ１から首回りを変形Ｕネック状にカットし、身頃の一側に円弧状カットを入れ、裾を直線状に短くカットした場合である。また、Ｂ３は、Ｂ２から首回りをさらに深くカットし、身丈をバスト下部まで短くカットした場合である。
【００１９】
図４は長丈パンティタイプの衣類の包装紙又は台紙にカット可能なデザインモデルを印刷等で表示したものであって、原型ＣからＣ１，Ｃ２，Ｃ３，さらにＣ４，Ｃ５，Ｃ６，Ｃ７の各変形態様へ変遷させ得ることを表現している。Ｃ１は、原型Ｃから腰回りの開口部を波型曲線状にカットし、裾を波型曲線状にカットし、一側に円弧状カットを入れた場合である。Ｃ２は、原型Ｃから腰回りの開口部を緩い円弧状にカットし、裾を波型曲線状にカットした場合である。Ｃ３は、Ｃ２から一方の脚部に花柄模様状のカットを入れた場合である。Ｃ４は、Ｃ２から裾をショートパンツ状に短くカットし、一方の裾にＶカットを入れた場合である。Ｃ５は、Ｃ４から裾をさらに短くカットし、裾周りに小孔模様状のカットを入れた場合である。Ｃ６は、Ｃ５から腰回りの開口部を前身頃側だけＵ字形にカットし、裾をさらに短くカットした場合である。Ｃ７は、Ｃ５から腰回りの開口部及び裾回りの開口部を大きくカットしショーツ状とした場合である。
【００２０】
図５はハーフ丈パンティタイプの衣類の包装紙又は台紙にカット可能なデザインモデルを印刷等で表示したものであって、原型ＤからＤ１，Ｄ２，Ｄ３，Ｄ４の各変形態様へ変遷させ得ることを表現している。Ｄ１は、原型Ｄから腰回りの開口部を緩い円弧状にカットし、裾をショートパンツ状に短くカットし、一方の裾にＶカットを入れた場合である。Ｄ２は、Ｄ１から裾をさらに短くカットし、裾周りに小孔模様状のカットを入れた場合である。Ｄ３は、Ｄ２から腰回りの開口部を前身頃側だけＵ字形にカットし、裾をさらに短くカットした場合である。Ｄ４は、Ｄ２から腰回りの開口部及び裾回りの開口部を大きくカットしショーツ状とした場合である。
【００２１】
上記カット可能なデザインモデルを印刷等で表示する包装紙又は台紙は、各衣類の原型の折りたたみ形状に対応した形態とされるもので、例えば、長方形袋状や長方形台紙状とされる。なお、包装紙の場合は、裏面側に、台紙の場合は、表面側に前記表示を行うのが好ましいが、これに制約されるものではない。また、包装紙と台紙との少なくとも一方又は双方に前記表示を行うものである。これら包装紙や台紙に対する印刷は通常の印刷でよい。
本発明の実施形態は以上であって、衣類の各原型は台紙の上に折りたたんで包装紙に包装するか、台紙を省略して包装紙に包装してセットで販売される。消費者は、これを購入し、前記カットラインやデザインモデルを参考にして、シャツタイプの衣類の場合は、首回りを任意の大きさ、形状にカットして所望のネックラインや襟回り形状を形成し、身丈、袖丈は、任意の位置で直線、曲線、傾斜線等の任意の形状にカットして所望の裾形状（ヘムライン）や、袖形状（例えば、七部袖、半袖、袖なし等）を形成することができる。またパンティタイプの衣類の場合は、身丈及び股上丈を腰回りの任意の高さ位置及び脚部の任意の高さ位置で直線、曲線、傾斜線等の任意の形状にカットして所望の身丈とウエストラインを形成し、かつ、裾から任意の高さ位置で直線、曲線、傾斜線等の任意の形状にカットしてショートパンツからショーツまで所望の裾形状を形成することができる。
【００２２】
各衣類の原型と標準品との各部の寸法サイズの一例は表１の通りである。
【００２３】
【表１】
2005133264.tif 000003
【００２４】
本発明の実施形態は以上の通りであるが、本発明は、前記実施形態に制約されるものではなく、特許請求の範囲に記載した意味と範囲において、種々変形して実施してもよい。例えば、衣類に施すカットラインや包装紙又は台紙に施すカット可能なデザインモデルは、例示したもの以外のものに変形して実施してもよい。また、衣類の施すカットラインと包装紙又は台紙に施すデザインモデルとは、いずれか一方又は双方に施して実施してもよい。衣類の原型は、アンダーウエア、セーター類、ズボンやパンツ類、中衣、上衣、婦人用、紳士用の各種衣類に適用可能である。
【図面の簡単な説明】
【００２５】
【図１】（Ａ）（Ｂ）（Ｃ）（Ｄ）は本発明に係る４種類の衣類の原型の概略正面図である。
【図２】長袖シャツタイプのカット可能なデザインモデルの表示例の説明図である。
【図３】ノースリーブシャツタイプの同様な説明図。
【図４】長丈パンティタイプの同様な説明図。
【図５】ハーフ丈パンティタイプの同様な説明図。
【符号の説明】
【００２６】
Ａ            長袖シャツタイプの衣類の原型
Ａ１〜Ａ８    その変形態様
Ｂ            ノースリーブシャツタイプの衣類の原型
Ｂ１〜Ｂ３    その変形態様
Ｃ            長丈パンティタイプの衣類の原型
Ｃ１〜Ｃ７    その変形態様
Ｄ            ハーフ丈パンティタイプの衣類の原型
Ｄ１〜Ｄ４    その変形態様
【図１】
2005133264.tif 000004
【図２】
2005133264.tif 000005
【図３】
2005133264.tif 000006
【図４】
2005133264.tif 000007
【図５】
2005133264.tif 000008